(57)【要約】      （修正有）【課題】相手コネクタと安定して接続可能なＵＳＢコネクタを提供する。【解決手段】コネクタは、絶縁性本体１と、前記絶縁性本体に固着される複数の導電端子と、光信号を伝送するための光部材と、バネ体４と、を備える。前記光部材は、前記絶縁性本体に移動可能に取り付けられる。前記バネ体４は、前記絶縁性本体に装着される第１端４１と、前記第１端と対向する第２端４２と、を有する。スライダー５は、前記光部材とバネ体との間に配置され、前記バネ体の第２端に装着され、前記光部材に当接する当接面が設けられる。前記バネ体が縮められて上下方向或いは横方向に沿って移動すると、前記スライダーの当接面は、前記光部材に当接する。【選択図】図４
0003170136.tif 000002
【実用新案登録請求の範囲】
【請求項１】
絶縁性本体と、
前記絶縁性本体に固着される複数の導電端子と、
光信号を伝送するために、前記絶縁性本体に移動可能に取り付けられる光部材と、
前記絶縁性本体に装着される第１端と、前記第１端と対向する第２端と、を有する弾性部材と、
前記光部材と弾性部材との間に配置され、前記弾性部材の第２端に装着され、前記光部材に当接する当接面が設けられるスライダーと、
を備え、前記弾性部材が縮められて上下方向或いは横方向に沿って移動すると、前記スライダーの当接面は、前記光部材に当接することを特徴とするコネクタ。
【請求項２】
前記スライダーは、ヘッド部と、前記ヘッド部から後向きに延在して前記弾性部材の前記第２端に装着される延在柱と、を有し、前記当接面が、前記ヘッド部からアーク状に前向きに突出することを特徴とする請求項１に記載のコネクタ。
【請求項３】
前記延在柱の直径が、前記ヘッド部の直径より小さく、前記弾性部材が、コイルバネ体であり、前記延在柱が前記弾性部材の前記第２端に挿入され、前記弾性部材が前記ヘッド部との係合によって、前記ヘッド部の後方に位置することを特徴とする請求項２に記載のコネクタ。
【請求項４】
前記光部材には、後向きに延在する突出柱が設けられ、前記突出柱の後端には、端面が設けられ、前記スライダーの当接面は、前記光部材の突出柱の端面に当接することを特徴とする請求項２又は３に記載のコネクタ。
【請求項５】
前記絶縁性本体が、上表面と、下表面と、前記下表面から窪む収納溝と、を有し、前記光部材が、前記収納溝に収納される基部と、前記基部に挿入される複数のファイバーと、を有し、前記突出柱が前記基部の後端の中央部から後向きに延在することを特徴とする請求項４に記載のコネクタ。
【請求項６】
前記絶縁性本体には、前記下表面から窪む凹所と、前記凹所に位置して前向きに延在する突柱と、が設けられ、前記弾性部材の前記第１端が前記突柱に装着され、前記突出柱と前記突柱と前記延在柱とは、同一直線上に配置されることを特徴とする請求項５に記載のコネクタ。
【請求項７】
前記絶縁性本体は、前記収納溝と前記凹所との間に形成され、前記収納溝と前記凹所とに前後方向に沿って連通する位置決め溝が形成され、前記弾性部材が、前記第１端と前記第２端との間に設けられ、前記位置決め溝に収納される中間部を有し、前記スライダーと前記弾性部材の前記第２端と前記中間部とは、前記位置決め溝に移動可能に収納されることを特徴とする請求項６に記載のコネクタ。
【考案の詳細な説明】
【技術分野】
【０００１】
本考案は、コネクタに関し、特に、位置調節可能な光部材を有するＵＳＢ（Ｕｎｉｖｅｒｓａｌ  Ｓｅｒｉａｌ  Ｂｕｓ）規格に準拠したコネクタに関するものである。
【背景技術】
【０００２】
従来技術のＵＳＢコネクタは、絶縁性本体と、絶縁性本体に固着される導電端子と、光信号を伝送するための光部材と、前記光部材と前記絶縁性本体との間に配置されるバネ体と、前記絶縁性本体を遮蔽するハウジングと、を備える。前記絶縁性本体は、本体部と、本体部から突出する舌板と、を備える。前記絶縁性本体には、下表面から窪む収納溝と、前記収納溝の後方に位置する凹溝と、前記凹溝に位置して前向きに突出する突柱と、が形成される。前記光部材は、前記収納溝に移動可能な基部と、前記基部に固着される複数の光ファイバーと、を有する。前記基部には、後向きに延在する突出柱が設けられる。前記バネ体は、一端が前記突柱に装着され、他端が前記突出柱に装着される。前記コネクタが相手コネクタと電気接続すると、前記基部が前記相手コネクタに後向きに押され、前記バネ体を縮める。
【先行技術文献】
【特許文献】
【０００３】
【特許文献１】中国実用新案第２０１４３８２２５Ｙ号明細書
【考案の概要】
【考案が解決しようとする課題】
【０００４】
縮められたバネ体が、上下方向或いは横方向に沿って移動する。コネクタのファイバーは、相手コネクタのファイバーと安定して接続することを確保できない。光信号が損失される。
【０００５】
そこで本考案は、上述される従来技術の問題に鑑み、相手コネクタと安定して接続可能なＵＳＢコネクタを提供することを目的とする。
【課題を解決するための手段】
【０００６】
前記目的を達成するために、本考案のコネクタは、絶縁性本体と、前記絶縁性本体に固着される複数の導電端子と、光信号を伝送するための光部材と、弾性部材と、を備える。前記光部材は、前記絶縁性本体に移動可能に取り付けられる。前記弾性部材は、前記絶縁性本体に装着される第１端と、前記第１端と対向する第２端と、を有する。スライダーは、前記光部材と弾性部材との間に配置され、前記弾性部材の第２端に装着され、前記光部材には当接する当接面が設けられる。前記弾性部材が縮められて上下方向或いは横方向に沿って移動すると、前記スライダーの当接面は、前記光部材に当接する。
【考案の効果】
【０００７】
従来技術と比べると、本考案は以下の長所を有する。本考案のコネクタの弾性部材に装着されるスライダーの当接面が、光部材に当接することによって、前記光部材を移動させない。コネクタの光部材は、相手コネクタと安定して接続できる。これにより、伝送される光信号の損失を減少する。
【図面の簡単な説明】
【０００８】
【図１】本考案のコネクタの組立斜視図である。
【図２】図１に示すコネクタの部分の分解斜視図である。
【図３】図２に示すコネクタの別の角度から見た部分の分解斜視図である。
【図４】図３に示す蓋板が絶縁性本体に取り付けられていない時の斜視図である。
【図５】図１に示すケーブルとハウジングとを含まないコネクタの分解斜視図である。
【図６】別の角度から見た図５の分解斜視図である。
【考案を実施するための形態】
【０００９】
図１〜図６を参照すると、本考案のコネクタ１００は、絶縁性本体１と、固持柱１０１が設けられる蓋板１０と、前記絶縁性本体１に固着される複数の導電端子２と、前記絶縁性本体１に装着される光部材３と、絶縁性本体１と光部材３との間に装着されるバネ体４と、スライダー５と、前記絶縁性本体１に固着されて複数の端子孔６１１が形成されるベース６１とベース６１に装着される装着部材６２とを有する固定部材６と、前記絶縁性本体１を遮蔽するハウジング７と、前記ハウジング７に被覆する絶縁性部材８と、前記導電端子２と光部材３とに連接するケーブル９と、を備える。
【００１０】
図２〜図６に示すように、絶縁性本体１は、上表面１１と下表面１２とを有する。絶縁性本体１は、主体部１３と、前記主体部１３から前向きに突出する舌板１４と、を備える。前記主体部１３の上表面１１には、前記固定部材６に対応する収納スペース１３２が形成される。
【００１１】
前記主体部１３の下表面１２には、複数の端子溝１３１が形成される。舌板１４の下表面１２には、収納溝１４１が形成される。前記収納溝１４１の後方には、前記収納溝１４１と連通するフロート溝１４２と、前記フロート溝１４２の後方に位置して前記フロート溝１４２と連通する凹所１４４と、が形成される。前記フロート溝１４２には、弓状の位置決め溝１４２１が形成される。前記位置決め溝１４２１は、前記収納溝１４１と前記凹所１４４との間に形成され、前記収納溝１４１と凹所１４４とに前後方向に沿って連通し、バネ体４の横方向の移動を制限する。
【００１２】
前記絶縁性本体１の下表面１２には、前後方向に沿って延在して前記収納溝１４１と連通する複数の保持溝１４３が形成される。各保持溝１４３は、前記フロート溝１４２の後方に形成される一対の細長い第１溝部１４３１と、前記一対の第１溝部１４３１の後方に形成されて前記一対の第１溝部１４３１と連通する第２溝部１４３２と、を有する。前記一対の第１溝部１４３１は、前記凹所１４４の両側に位置し、前記前後方向に沿って前記フロート溝１４２と連通し、前記接続孔３３に対応する。この実施形態において、第２溝部１４３２の幅は、二つの第１溝部１４３１の幅より広い。他の実施形態において、第２溝部１４３２の幅は、一つの第１溝部１４３１の幅より、広い、或いは、二つの第１溝部１４３１の幅と等しい。前記フロート溝１４２の幅は、前記収納溝１４１の幅より狭く、第１溝部１４３１と第２溝部１４３２との幅より広い。前記凹所１４４には、前向きに突出する突柱１４４１が設けられる。
【００１３】
前記絶縁性本体１には、前記下表面１２から窪んで、前記収納溝１４１の後方に位置して前記蓋板１０を収納するための凹部１４６が形成される。前記凹部１４６の深さは、前記収納溝１４１の深さより、前記フロート溝１４２の深さより、前記凹所１４４の深さより、前記第１溝部１４３１の深さより、浅い。前記凹部１４６は、前後方向に沿って前記収納溝１４１と連通し、上下方向に沿って前記フロート溝１４２と、前記凹所１４４と、前記第１溝部１４３１と、連通する。前記蓋板１０には、前記凹所１４４に対応する凹口１０２が形成される。バネ体４は、前記突柱１４４１に装着された後、上下方向に沿って移動できる。前記収納溝１４１には、一対の突状部片１４７と、前記一対の突状部片１４７の間に係止部１４５と、が設けられる。
【００１４】
前記バネ体４は、コイルバネであり、第１端４１と、第１端４１の前方に位置する第２端４２と、前記第１端４１及び第２端４２の間に設けられる中間部４３と、を有する。
【００１５】
前記スライダー５は、ヘッド部５２と、前記ヘッド部５２から後向きに延在する延在柱５１と、を有する。前記ヘッド部５２には、前記ヘッド部５２からアーク状に前向きに突出する当接面５２１が設けられる。
【００１６】
前記導電端子２は、ＵＳＢ３．０の規格に準拠した四つの第１端子２１と五つの第２端子２２とを備える。各第１端子２１は、第１接触部２１１と、第１尾部２１２と、を有する。各第２端子２２は、第２接触部２２１と、第２固定部２２２と、第２尾部２２３と、を有する。
【００１７】
光部材３は、基部３０と、基部３０に取り付けられる複数のファイバー３５と、を備える。前記基部３０には、前記係止部１４５と対応する“Ｖ”字状の係止孔３１と、係止孔３１の両側に設けられる一対のレンズ３２と、前記一対のレンズ３２に対応する一対の接続孔３３と、一対の対応孔３４と、を有する。前記基部３０の後端の中間には、後向きに突出する突出柱３６が設けられる。前記突出柱３６の後端には、前記スライダー５に対向する端面３６１が設けられる。
【００１８】
各ファイバー３５は、光部材３の接続孔３３に挿入される接続部３５１と、前記接続部３５１から後向きに延在して前記フロート溝１４２に収納されるフロート部３５５と、前記フロート部３５５から延在して前記第１溝部１４３１に保持される保持部３５２と、前記保持部３５２から延在して第２溝部１４３２に収納される湾曲部３５３と、前記湾曲部３５３から延在して前記ケーブル９と電気接続する尾部３５４と、を備える。
【００１９】
ハウジング７は、上ハウジング７１と、下ハウジング７２と、を有する。上ハウジング７１は、底壁７１１と、頂壁７１２と、一対の側壁７１３と、を有する。底壁７１１の前端には光部材３の下部に当接する複数の突状部片７５が設けられる。
【００２０】
コネクタ１００を組み立てる場合、先ず、四つの第１端子２１を絶縁性本体１にインサート成形によって成型する。第１端子２１の第１尾部２１２が、絶縁性本体１の端子溝１３１に挿入される。五つの第２端子２２は、ベース６１の端子孔６１１に挿入される。ベース６１が、絶縁性本体１の収納スペース１３２に挿入される。第２端子２２の第２接触部２２１が、絶縁性本体１の端子溝１４８に挿入される。装着部材６２は、ベース６１に固着される。
【００２１】
前記光部材３は、前記絶縁性本体１の収納溝１４１に移動可能に収納される。前記光部材３の複数のファイバー３５の接続部３５１は、それぞれ前記接続孔３３に挿入されて前記レンズ３２と接続し、高速光信号を伝送することを実現する。前記基部３０の係止孔３１は、絶縁性本体１の係止部１４５と係合する。前記光部材３のファイバー３５の保持部３５２が、前記第１溝部１４３１に保持され、湾曲部３５３が第２溝部１４３２に収納され、前記フロート部３５５が前記フロート溝１４２に収納される。
【００２２】
前記突柱１４４１と突出柱３６と前記延在柱５１とは、同一直線上に配置される。前記バネ体４の第１端４１が、前記絶縁性本体１の突柱１４４１に装着される。前記スライダー５の延在柱５１が、前記バネ体４の第２端４２に挿入される。前記バネ体４がスライダー５の前記ヘッド５２部との係合によって、前記ヘッド部５２の後方に位置する。前記スライダー５の当接面５２１は、前記突出柱３６の端面３６１に当接する。前記スライダー５と前記バネ体４の第２端４２と中間部４３とは、前記位置決め溝１４２１に移動可能に収納される。前記コネクタ１００が相手コネクタに押されると、前記バネ体４は、縮められて、横方向或いは上下方向に沿って移動する。この時、スライダー５の当接面５２１は、突出柱３６の端面３６１に当接することによって、前記光部材３を移動させない。この実施形態において、前記レンズ３２が、前記基部３０に装着される。他の実施形態において、前記基部３０とレンズ３２とは、同じ材料によって製造される。
【００２３】
前記蓋板１０は、前記絶縁性本体１の凹部１４６に収納され、ファイバー３５の底部に被覆する。ハウジング７は、絶縁性本体１を遮蔽する。
【００２４】
コネクタ１００が相手コネクタと接続する時、コネクタ１００の光部材３の対応孔３４は、相手コネクタの柱状部に対応する。対応孔３４の寸法が相手コネクタの柱状部に対応しない時、光部材３の基部３０は、バネ体４によって前後方向に沿って移動し、位置調節する。同時に、ファイバー３５の保持部３５２が前記第１溝部１４３１に前後方向に沿って移動する。第２溝部１４３２の幅が第１溝部１４３１の幅より広いので、前記ファイバー３５の保持部３５２が、湾曲して第２溝部１４３２に部分的に入る。前記光部材３は、前記バネ体４によって移動できる。又、コネクタ１００が相手コネクタと接続すると、前記バネ体４が、縮められて、横方向或いは上下方向に沿って移動する。スライダー５の当接面５２１は、突出柱３６の端面３６１に当接することによって、前記光部材３を移動させない。コネクタのファイバー３５は、相手コネクタと安定して接続できる。これにより、伝送される光信号の損失を減少する。
【００２５】
相手コネクタを抜き出すと、前記基部３０がバネ体４によって前向きに移動する。前記スライダー５のヘッド部５２の当接面５２１が、前記突出柱３６の端面３６１と伴って移動する。係止部１４５が係止孔３１と係合する。係止部１４５によって、光部材３が収納溝１４１から離れることを防止できるとともに、光部材３が位置決めされる。基部３０が、上ハウジング７１の突状部片７５と絶縁性本体１の突状部片１４７とに当接する。
【００２６】
光部材３が押されると、前記ファイバー３５が前記第１溝部１４３１に前記基部３０を留める。光部材３が相手コネクタのファイバーと安定して接続することを確保する。又、前記ファイバー３５の湾曲部３５３によって、ファイバー３５を過度に抜き出すことを防止できる。
【００２７】
以上、本考案について好ましい実施形態を参照して詳細に説明したが、実施形態はあくまでも例示的なものであり、これらに限定されるものではない。また上述の説明は、本考案に基づき成し得る細部の修正或いは変更などは、いずれも本考案の技術的範囲に属するものである。
【符号の説明】
【００２８】
１００  コネクタ
１  絶縁性本体
１０  蓋板
１０１  固持柱
１０２  凹口
１１  上表面
１２  下表面
１３  主体部
１３１  端子溝
１３２  収納スペース
１４  舌板
１４１  収納溝
１４２  フロート溝
１４２１  位置決め溝
１４３  保持溝
１４３１  第１溝部
１４３２  第２溝部
１４４  凹所
１４４１  突柱
１４５  係止部
１４６  凹部
１４７  突状部片
２  導電端子
２１  第１端子
２１１  第１接触部
２１２  第１尾部
２２  第２端子
２２１  第２接触部
２２２  第２固定部
２２３  第２尾部
３  光部材
３０  基部
３１  係止孔
３２  レンズ
３３  接続孔
３４  対応孔
３５  ファイバー
３５１  接続部
３５２  保持部
３５３  湾曲部
３５４  尾部
３６  突出柱
３６１  端面
４  バネ体
４１  第１端
４２  第２端
４３  中間部
５  スライダー
５１  延在柱
５２  ヘッド部
５２１  当接面
６  固定部材
６１  ベース
６１１  端子孔
６２  装着部材
７  ハウジング
７１  上ハウジング
７１１  底壁
７１２  頂壁
７１３  側壁
７２  下ハウジング
７５  突状部片
８  絶縁性部材
９  ケーブル
【図１】
0003170136.tif 000003
【図２】
0003170136.tif 000004
【図３】
0003170136.tif 000005
【図４】
0003170136.tif 000006
【図５】
0003170136.tif 000007
【図６】
0003170136.tif 000008